(57)【要約】【課題】手摺壁に取付施工する物干し金物を各取付場所や位置毎に、その手摺高さや、物干し金物設置後において収納時の物干し竿の高さが、手摺の足がかりにならないように、予め取付現場に足を運んで各取付位置毎に手摺高さを確認する非常に煩雑で煩わしい作業をなくして、効率良く取付施工が行える壁付き型物干し金物を提供する。【解決手段】一対の竿掛けアームはそれぞれアーム保持体に対して摺動保持される凹部または凸部断面形状の摺動溝を有し、該摺動溝のストローク間の任意位置にビス等で固着可能なストッパーピース材を固着設置可能に構成し、該ストッパーピース材が前記アーム保持体に係合することによりそれぞれの竿掛けアームの下げ下ろし位置が調整されて固定可能で、、前記垂直方向で収納固定される竿掛けアームの下部に位置する前記物干し竿の挿通孔に物干し竿が装架されていても該物干し竿の高さ位置が竿掛けアームの収納によっても常に床面から足掛かり高さ寸法より高い位置に配置されるように構成した。【選択図】図３
2007282952.tif 000002
【特許請求の範囲】
【請求項１】
複数個の物干し竿の挿通孔と複数個のハンガー掛け孔をそれぞれ穿設された一対の竿掛けアームと、該それぞれの竿掛けアームを保持するアーム保持体からなり、該一対の竿掛けアームはアーム保持体に対してそれぞれ角度を有して水平面に対して４５度の固定や水平方向に固定しての使用が可能であり、該竿掛けアームの固定位置を任意に設定し物干し竿を装架することで該物干し竿に洗濯物を干すことを可能となし、また、一旦、一対の竿掛けアームを垂直方向に持ち上げてそのままそれぞれのアーム保持体に対して摺動させることにより竿掛けアームを下げ下ろし可能となし、該それぞれの竿掛けアームを垂直方向で収納固定する機能を有した物干し金物において、
前記一対の竿掛けアームはそれぞれアーム保持体に対して摺動保持される凹部または凸部断面形状の摺動溝を有し、
該摺動溝のストローク間の任意位置にビス等で固着可能なストッパーピース材を固着設置可能に構成し、
該ストッパーピース材が前記アーム保持体に係合することによりそれぞれの竿掛けアームの下げ下ろし位置が調整されて固定可能で、
前記垂直方向で収納固定される竿掛けアームの下部に位置する前記物干し竿の挿通孔に物干し竿が装架されていても該物干し竿の高さ位置が竿掛けアームの収納によっても常に床面から足掛かり高さ寸法より高い位置に配置されるようにしたこと、
を特徴とする物干し金物における竿掛けアーム収納位置調整装置。  
【請求項２】
前記一対の竿掛けアームはそれぞれアーム保持体に対して摺動保持される凹部または凸部断面形状の摺動溝を有し、
該摺動溝の縁部に凹部断面形状の位置決め表示溝を所定のピッチにて刻設し、
該位置決め表示溝はストローク間の任意位置にビス等にてストッパーピース材を固着設置する際に位置決め表示溝と前記ビスの先端部の係合溝の役目を果たすこと、
を特徴とする請求項１記載の物干し金物における竿掛けアーム収納位置調整装置。  
【請求項３】
前記一対の竿掛けアームはそれぞれアーム保持体に対して摺動保持される凹部または凸部断面形状の摺動溝を有し、該凹部または凸部断面形状の摺動溝に対して一体型或いは二枚のピース材からなるストッパーピース材にて片側や両側より挟持して竿掛けアームにビス等で螺着固定したこと、
を特徴とする請求項１記載の物干し金物における竿掛けアーム収納位置調整装置。  
【請求項４】
前記摺動溝のストローク間の任意位置にビス等で固着可能なストッパーピース材は前記アーム保持体に係合する部位を柔らかいクッション性のある樹脂にて製作しそれぞれの竿掛けアームの下げ下ろし動作にて衝突音の発生と指つめ事故時の損傷防止を図ったこと、
を特徴とする請求項１乃至請求項３いずれか記載の物干し金物における竿掛けアーム収納位置調整装置。  
【請求項５】
前記一対の竿掛けアームはそれぞれアーム保持体に対して摺動保持される凹部または凸部断面形状の摺動溝を有し、
該摺動溝のストローク間の任意位置にビス等にてストッパーピース材を固着設置するに際し、
該ビスの螺着方向は設置される竿掛けアームの側面からの螺合操作となしストッパーピース材の固着施工を容易とした、
ことを特徴する請求項１乃至請求項４のいずれかに記載の物干し金物における竿掛けアーム収納位置調整装置。
【発明の詳細な説明】
【技術分野】
【０００１】
本発明は、壁付け型物干し金物に関するものであり、特に本発明は角度可変タイプの壁付け型物干し金物において、竿掛けアームの収納時における竿掛けアームの収納位置が調整できる機構を有した物干し金物を提供するものである。
【背景技術】
【０００２】
コンクリート製腰壁からなる手摺に設置する物干し金物は、所謂、壁付け型物干し金物とよばれている。壁付け型物干し金物は、一対の竿掛けアームと、それぞれの竿掛けアームを保持するアーム保持体から構成されており、該竿掛けアームは、アーム保持体に対して角度を有して斜め上方向、例えば水平面に対して４５度の固定や、水平方向固定しての使用が可能で、該竿掛けアームの固定位置を任意に設定することにより、洗濯物を干すことができる。
【０００３】
また、一旦、竿掛けアームを垂直方向に持ち上げて、そのままアーム保持体に対して摺動させることにより竿掛けアームを下げ下ろし、該竿掛けアームを垂直方向で収納固定する機能が設けられており、収納時は、竿掛けアームや物干し竿がバルコニー内部側に突出することがなくバルコニーを有効利用できる。
【０００４】
而して、このタイプの物干し金物は、前記竿掛けアームの二段階の角度可変や、竿掛けアームの収納動作を一対の竿掛けアーム間に装架された物干し竿を装架したままで行えることから操作性が良く、また、竿掛けアームはアーム保持体に対して比較的シンプルで無理のない機構にて連繋保持されていることから、価格的にも安価で、集合住宅等の壁付き型物干し金物として非常によく使用されている人気商品である。
【０００５】
然しながら、この壁付き型物干し金物は、コンクリート製腰壁からなる手摺に竿掛けアームを有するアーム保持体をアンカーボルトにて直接固設していることから、該物干し金物の取付施工に際しては、予め、物干し金物の設置現場に足を運び、各取付位置毎に手摺の高さや仕上がり状況を確認することがどうしても必要となる。
【０００６】
即ち、手摺の高さに関する法令は、コンクリート腰壁からなる壁手摺や、金属製手摺の高さを１１００ｍｍ以上と定めており、実際には、建物によって、１１００ｍｍ、１１５０ｍｍ、１２００ｍｍと設計者によりまちまちであることから、この点を確認することが必要となる。
【０００７】
また、前記のまちまちな高さを有する手摺においても、手摺の公営住宅建設基準にて、手摺乗り越え危険防止の観点から、床面、並びに足掛かり部から６５０ｍｍ以内に足のかかる部分が無き事が規定されている。
【０００８】
従って、物干し金物を手摺の内部側に取付するものとして考えると、手摺壁内側に設置される物干し金物おいても、前記各取付位置毎に手摺の高さを確認して、物干し金物設置後において、収納時の物干し竿の高さが、足掛かりにならないように取付施工する必要があり、どうしても取付現場に足を運んで各取付位置毎に手摺高さを確認する非常に煩雑で煩わしい作業が生じる問題点があった。
【発明の開示】
【発明が解決しようとする課題】
【０００９】
而して、本発明が解決しようとする課題は、手摺壁に取付施工する物干し金物を各取付場所や位置毎に、その手摺高さや、物干し金物設置後において収納時の物干し竿の高さが、手摺の足がかりにならないように、予め取付現場に足を運んで各取付位置毎に手摺高さを確認する非常に煩雑で煩わしい作業をなくして、効率良く取付施工が行える壁付き型物干し金物を提供するものである。
【課題を解決するための手段】
【００１０】
本発明は、上記発明の目的を達成するために、複数個の物干し竿の挿通孔と複数個のハンガー掛け孔をそれぞれ穿設された一対の竿掛けアームと、該それぞれの竿掛けアームを保持するアーム保持体からなり、該一対の竿掛けアームはアーム保持体に対してそれぞれ角度を有して水平面に対して４５度の固定や水平方向に固定しての使用が可能であり、該竿掛けアームの固定位置を任意に設定し物干し竿を装架するすることで該物干し竿に洗濯物を干すことを可能となし、また、一旦、一対の竿掛けアームを垂直方向に持ち上げてそのままそれぞれのアーム保持体に対して摺動させることにより竿掛けアームを下げ下ろし可能となし、該それぞれの竿掛けアームを垂直方向で収納固定する機能を有した物干し金物において、前記一対の竿掛けアームはそれぞれアーム保持体に対して摺動保持される凹部または凸部断面形状の摺動溝を有し、該摺動溝のストローク間の任意位置にビス等で固着可能なストッパーピース材を固着設置可能に構成し、該ストッパーピース材が前記アーム保持体に係合することによりそれぞれの竿掛けアームの下げ下ろし位置が調整されて固定可能で、、前記垂直方向で収納固定される竿掛けアームの下部に位置する前記物干し竿の挿通孔に物干し竿が装架されていても該物干し竿の高さ位置が竿掛けアームの収納によっても常に床面から足掛かり高さ寸法より高い位置に配置されるようにしたことを要旨とする物干し金物における竿掛けアーム収納位置調整装置である。  
【００１１】
また、本発明において、前記一対の竿掛けアームは、それぞれアーム保持体に対して摺動保持される凹部または凸部断面形状の摺動溝を有し、該摺動溝の縁部に凹部断面形状の位置決め表示溝を所定のピッチにて刻設し、該位置決め表示溝はストローク間の任意位置にビス等にてストッパーピース材を固着設置する際に位置決め表示溝と前記ビスの先端部の係合溝の役目を果たすことを要旨としている。  
【００１２】
また、本発明において、前記一対の竿掛けアームは、それぞれアーム保持体に対して摺動保持される凹部または凸部断面形状の摺動溝を有し、該凹部または凸部断面形状の摺動溝に対して一体型或いは二枚のピース材からなるストッパーピース材にて片側や両側より挟持して竿掛けアームにビス等で螺着固定したことしたことを要旨としている。  
【００１３】
また、本発明において、前記摺動溝のストローク間の任意位置にビス等で固着可能なストッパーピース材は、前記アーム保持体に係合する部位を柔らかいクッション性のある樹脂にて製作しそれぞれの竿掛けアームの下げ下ろし動作にて衝突音の発生と指つめ事故時の損傷防止を図ったことを要旨としている。  
【００１４】
更にまた、本発明において、前記一対の竿掛けアームは、それぞれアーム保持体に対して摺動保持される凹部または凸部断面形状の摺動溝を有し、該摺動溝のストローク間の任意位置にビス等にてストッパーピース材を固着設置するに際し、
該ビスの螺着方向は設置される竿掛けアームの側面からの螺合操作となしストッパーピース材の固着施工を容易としたことを要旨としている。
【発明の効果】
【００１５】
本発明の物干し金物における竿掛けアーム収納位置調整装置は、一対の竿掛けアームを垂直方向に持ち上げてそのままそれぞれのアーム保持体に対して摺動させることにより竿掛けアームを下げ下ろし可能となし、該それぞれの竿掛けアームを垂直方向で収納固定する機能を有した物干し金物において、前記一対の竿掛けアームはそれぞれアーム保持体に対して摺動保持される凹部または凸部断面形状の摺動溝を有し、該摺動溝のストローク間の任意位置にビス等で固着可能なストッパーピース材を固着設置可能に構成し、該ストッパーピース材が前記アーム保持体に係合することによりそれぞれの竿掛けアームの下げ下ろし位置が調整されて固定可能であり、前記垂直方向で収納固定される竿掛けアームの下部に位置する前記物干し竿の挿通孔に物干し竿が装架されていても該物干し竿の高さ位置が竿掛けアームの収納によっても常に床面から足掛かり高さ寸法より高い位置に配置されるように簡単に調整が可能で、従来装置の如く、取付施工前に該施工現場の各物干し金物取付位置に足を運んで各取付位置毎に手摺高さを確認する等の非常に煩雑で煩わしい作業を省くことができた。
【００１６】
また、本発明において、前記一対の竿掛けアームは、それぞれアーム保持体に対して摺動保持される凹部または凸部断面形状の摺動溝を有し、該摺動溝の縁部に凹部断面形状の位置決め表示溝を所定のピッチにて刻設し、該位置決め表示溝はストローク間の任意位置にビス等にてストッパーピース材を固着設置する際に位置決め表示溝と前記ビスの先端部の係合溝の役目を果たすことを要旨として、竿掛けアームの収納位置での高さ調整並びに固定作業が容易におこなえる。
【００１７】
また、本発明において、摺動溝のストローク間の任意位置にビス等で固着可能なストッパーピース材は、前記アーム保持体に係合する部位を柔らかいクッション性のある樹脂にて製作しそれぞれの竿掛けアームの下げ下ろし動作にて衝突音の発生防止と、該部分においての指つめ事故時の損傷防止を図ることができた。
【発明を実施するための最良の形態】
【００１８】
而して、本発明は、複数個の物干し竿の挿通孔と複数個のハンガー掛け孔をそれぞれ穿設された一対の竿掛けアームと、該それぞれの竿掛けアームを保持するアーム保持体からなり、該一対の竿掛けアームはアーム保持体に対してそれぞれ角度を有して水平面に対して４５度の固定や水平方向に固定しての使用が可能であり、該竿掛けアームの固定位置を任意に設定し物干し竿を装架するすることで該物干し竿に洗濯物を干すことを可能となし、また、一旦、一対の竿掛けアームを垂直方向に持ち上げてそのままそれぞれのアーム保持体に対して摺動させることにより竿掛けアームを下げ下ろし可能となし、該それぞれの竿掛けアームを垂直方向で収納固定する機能を有した物干し金物において、前記一対の竿掛けアームはそれぞれアーム保持体に対して摺動保持される凹部または凸部断面形状の摺動溝を有し、該摺動溝のストローク間の任意位置にビス等で固着可能なストッパーピース材を固着設置可能に構成し、該ストッパーピース材が前記アーム保持体に係合することによりそれぞれの竿掛けアームの下げ下ろし位置が調整されて固定可能で、前記垂直方向で収納固定される竿掛けアームの下部に位置する前記物干し竿の挿通孔に物干し竿が装架されていても該物干し竿の高さ位置が竿掛けアームの収納によっても常に床面から足掛かり高さ寸法より高い位置に配置されるようにした構成が好ましい。  
【００１９】
また、本発明において、一対の竿掛けアームは、それぞれアーム保持体に対して摺動保持される凹部または凸部断面形状の摺動溝を有し、該摺動溝の縁部に凹部断面形状の位置決め表示溝を所定のピッチにて刻設し、該位置決め表示溝はストローク間の任意位置にビス等にてストッパーピース材を固着設置する際に位置決め表示溝と前記ビス等の先端部の係合溝の役目を果たすように構成することが好ましい。  
【００２０】
また、本発明において、一対の竿掛けアームは、それぞれアーム保持体に対して摺動保持される凹部または凸部断面形状の摺動溝を有し、該凹部または凸部断面形状の摺動溝に対して一体型、或いは二枚のピース材からなるストッパーピース材にて片側や両側より挟持して竿掛けアームにビス等にて螺着固定するように構成することが好ましい。  
【００２１】
また、本発明において、摺動溝のストローク間の任意位置にビス等で固着可能なストッパーピース材は、前記アーム保持体に係合する部位を柔らかいクッション性のある樹脂にて製作しそれぞれの竿掛けアームの下げ下ろし動作にて衝突音の発生と指つめ事故時の損傷防止を図るように構成することが好ましい。  
【００２２】
更にまた、本発明において、一対の竿掛けアームは、それぞれアーム保持体に対して摺動保持される凹部または凸部断面形状の摺動溝を有し、該摺動溝のストローク間の任意位置にビス等にてストッパーピース材を固着設置するに際し、該ビスの螺着方向は設置される竿掛けアームの側面からの螺合操作となしストッパーピース材の固着施工を容易とした構成が好ましい。  
【実施例１】
【００２３】
図１は、本発明の実施例を説明する斜視説明図、図２は、本発明の壁付き型物干し金物と壁手摺との関係を説明する説明図、図３は、本発明の実施例１を説明する斜視説明図であり竿掛けアームとアーム保持体からなる一本の壁付き型物干し金物の形状を示している。
【００２４】
図１乃至図３において、１ａ、１ｂは一対の壁付き型物干し金物を示し、該一対の壁付き物干し金物１ａ、１ｂはそれぞれアンカーボルト２ａ、２ｂ（壁取付用ボルト・ナット類金具）にてコンクリート製腰壁からなる手摺壁３の内側に設置されている。一対の壁付き型物干し金物 １ａ、１ｂは、それぞれ竿掛けアーム４とアーム保持体５からなり、該竿掛けアーム４は、アーム保持体５に対して角度を有して斜め上方向、例えば水平面に対して４５度の固定位置Ａや、水平方向に位置固定して（図示せず）の使用が可能で、該竿掛けアーム４の固定位置を任意に設定することにより、洗濯物を干すことができる。
【００２５】
また、一旦、竿掛けアーム４を矢印Ｂの如くを垂直方向に持ち上げて、そのままアーム保持体５に対して摺動させることにより竿掛けアーム４を下げ下ろし、該竿掛けアーム４を垂直方向で収納固定する機能が設けられており、竿掛けアーム４の収納時位置Ｃにおいては、竿掛けアーム４や物干し竿６がバルコニー内部側に突出することがなくバルコニーを有効利用できる。
【００２６】
而して、このタイプの物干し金物１ａ、１ｂは、前記竿掛けアーム４の二段階の角度可変や、竿掛けアーム４の収納動作を一対の竿掛けアーム４、４間に装架された物干し竿６を装架したままで行えることから操作性が良く、また、竿掛けアーム４はアーム保持体５に対して比較的シンプルで無理のない機構にて連繋保持されていることから、価格的にも安価で、集合住宅等の壁付き型物干し金物として非常によく使用されている人気商品である。
【００２７】
然しながら、この壁付き型物干し金物１ａ、１ｂは、コンクリート製腰壁からなる壁手摺３に竿掛けアーム４を有するアーム保持体５をアンカーボルト２ａ、２ｂ（壁取付用ボルト・ナット類金具）にて直接固設していることから、該物干し金物１ａ、１ｂの取付施工に際しては、予め、物干し金物１ａ、１ｂの設置現場に足を運び、各取付位置毎に手摺の高さＨや仕上がり状況を確認することがどうしても必要となる。
【００２８】
即ち、図２において、手摺の高さＨに関する法令は、コンクリート腰壁からなる壁手摺３の手摺の高さを１１００ｍｍ以上と定めており、実際には、建物によって、１１００ｍｍ、１１５０ｍｍ、１２００ｍｍと設計者によりまちまちであることからも、この点を確認することが必要となる。
【００２９】
また、前記のまちまちな手摺高さＨを有する壁手摺３においても、手摺の公営住宅建設基準にて、手摺乗り越え危険防止の観点から、床面、或いは足掛かり部から６５０ｍｍ以内の足掛かり高さｈ内に足のかかる部分が無き事が規定されている。
【００３０】
従って、物干し金物１ａ、１ｂを壁手摺３の内部側に取付するものとして考えると、手摺壁内側に設置される物干し金物１ａ、１ｂにおいても、前記各取付位置毎に手摺の高さＨを確認して、物干し金物１ａ、１ｂの設置後において、竿掛けアーム４収納時の物干し竿の高さが、足掛かり高さｈ以下にならないように取付施工する必要があった。
【００３１】
斯くして、本発明の実施例１は、複数個の物干し竿の挿通孔７ａ、７ｂ、７ｃ・・・と複数個のハンガー掛け孔８ａ、８ｂ、８ｃ・・・をそれぞれ穿設された一対の竿掛けアーム４、４と、該それぞれの竿掛けアームを保持するアーム保持体５、５からなり、該一対の竿掛けアーム４、４はアーム保持体５、５に対してそれぞれ角度を有して水平面に対して４５度の固定位置Ａや水平方向位置（図示せず）に固定しての使用が可能であり、該竿掛けアーム４、４の固定位置を任意に設定し物干し竿６を装架するすることで該物干し竿６に洗濯物を干すことを可能とした。
【００３２】
また、一旦、一対の竿掛けアーム４、４を垂直方向に持ち上げて矢印Ｂの如く（図２に示す）そのままそれぞれのアーム保持体５、５に対して摺動させることにより竿掛けアーム４、４を下げ下ろし可能となし、該それぞれの竿掛けアーム４、４を垂直方向（収納固定位置Ｃ）で収納固定する機能を有した一対の物干し金物１ａ、１ｂにおいて、前記一対の竿掛けアーム４、４はそれぞれアーム保持体５、５に対して摺動保持される凹部または凸部断面形状の摺動溝９ａ、９ｂ（裏面）を図３の如く有し、該摺動溝９ａ、９ｂのストローク間Ｓの任意位置、或いは所定位置にてビス１０で固着可能な一体型のストッパーピース材１１を固着設置可能に構成した。
【００３３】
そして前記ストッパーピース材１１が前記アーム保持体５上部に係合することによりそれぞれの竿掛けアーム４の下げ下ろし位置（高さ）が調整されて固定可能である。
【００３４】
また、前記垂直方向位置で収納固定される竿掛けアーム４の下部に位置する前記物干し竿の挿通孔７ａに物干し竿６が装架されていても該物干し竿６の高さ位置が竿掛けアーム４の収納によっても常に床面、或いは足掛かり部から計測する足掛かり高さｈ寸法より高い位置に配置されるように構成した。  
【００３５】
更に本発明の実施例１では、前記一対の竿掛けアーム４，４はそれぞれアーム保持体５，５に対して摺動保持される凹部または凸部断面形状の摺動溝９ａ、９ｂを有し、該摺動溝９ａ、９ｂの縁部１２に凹部断面形状の位置決め表示溝１３ａ、１３ｂ、１３ｃ・・・を所定寸法のピッチにて刻設し、該位置決め表示溝１３ａ、１３ｂ、１３ｃ・・・はストローク間Ｓの所定位置にビスにてストッパーピース材１１を固着設置する際に位置決め表示溝と前記ビスの先端部の係合溝の役目を果たすよう構成した。
【実施例２】
【００３６】
図４は、本発明の実施例２を説明する斜視説明図、図５は、実施例２の一体型ストッパーピース材を説明する拡大斜視説明図である。
【００３７】
図４並びに図５において、１ａは壁付き型物干し金物、２ａ、２ｂはアンカーボルト、４は竿掛けアーム、５はアーム保持体、６は物干し竿、７ａ、７ｂ、７ｃ・・・は物干し竿挿通孔、８ａ、８ｂ、８ｃ・・・はハンガー掛け孔、９ａ、９ｂは摺動溝、１０はビス、１４はクッション性樹脂からなるストッパーピース材である。
【００３８】
而して、実施例２は、竿掛けアーム４の摺動溝９ａ、９ｂのストローク間Ｓの任意位置にビス１０で固着可能なストッパーピース材は前記アーム保持体５に係合する部位を柔らかいクッション性樹脂からなるストッパーピース材１４にて製作した。そして、それぞれの竿掛けアーム４の下げ下ろし動作にてアーム保持体との衝突音の発生防止と、指つめ事故時の指先等の損傷防止を図っている。
【００３９】
また、実施例２においては、前記一対の竿掛けアーム４はそれぞれアーム保持体５に対して摺動保持される凹部または凸部断面形状の摺動溝９ａ、９ｂを有し、
該摺動溝９ａ、９ｂのストローク間Ｓの任意位置にビス１０にてストッパーピース材１４を固着設置するに際し、該ビス１０の螺着方向は設置される竿掛けアーム４の側面からの螺合操作となしストッパーピース材１４の固着施工を容易にしている。
【実施例３】
【００４０】
図６乃至図８は、実施例３を説明するもので、図６は、本発明の実施例３を説明する斜視説明図、図７は、実施例３のストッパーピース材を説明する拡大斜視説明図、図８は図７の要部断面説明図である。
【００４１】
図６乃至図８において、１ａは壁付き型物干し金物、２ａ、２ｂはアンカーボルト、４は竿掛けアーム、５はアーム保持体、６は物干し竿、７ａ、７ｂ、７ｃ・・・は物干し竿挿通孔、８ａ、８ｂ、８ｃ・・・はハンガー掛け孔、９ａ、９ｂは摺動溝、１０はビス、１１は一体型のストッパーピース材である。
【００４２】
而して、実施例３のストッパーピース材１１は略コの字形状をしており、予め竿掛けアーム４の基部開口１５から摺動溝９ａ、９ｂ嵌挿しておき、竿掛けアーム４をアーム保持体５に挿着してから任意位置でビス１０を螺合するか、予め図８の如く摺動溝９ａ、９ｂ内に所定間隔位置に固定孔１６を複数個穿設しておき、該位置にて、ストッパーピース材１１を固着する。
【実施例４】
【００４３】
図９乃至図１１は、実施例４を説明するもので、図９は、本発明の実施例４を説明する斜視説明図、図１０は、実施例４のストッパーピース材を説明する拡大斜視説明図、図１１は図１０の要部断面説明図である。
【００４４】
図９乃至図１１において、１ａは壁付き型物干し金物、２ａ、２ｂはアンカーボルト、４は竿掛けアーム、５はアーム保持体、６は物干し竿、７ａ、７ｂ、７ｃ・・・は物干し竿挿通孔、８ａ、８ｂ、８ｃ・・・はハンガー掛け孔、９ａ、９ｂは摺動溝、１０はビス、１１ａ、１１ｂは二枚のピース材からなるストッパーピース材である。
【００４５】
而して、実施例４のストッパーピース材は１１ａ、１１ｂの二枚に分かれたピース形状をしており、予め図１１の如く摺動溝９ａ、９ｂ内に所定間隔位置に固定孔１６を複数個穿設しておき、該位置にて、ストッパーピース材１１ａ、１１ｂが摺動溝９ａ、９ｂを挟持して固着する。
【実施例５】
【００４６】
図１２乃至図１４は、実施例５を説明するもので、図１２は、本発明の実施例５を説明する斜視説明図、図１３は、実施例５のストッパーピース材を説明する拡大斜視説明図、図１４は図１３の要部断面説明図である。
【００４７】
図１２乃至図１４において、１ａは壁付き型物干し金物、２ａ、２ｂはアンカーボルト、４は竿掛けアーム、５はアーム保持体、６は物干し竿、７ａ、７ｂ、７ｃ・・・は物干し竿挿通孔、８ａ、８ｂ、８ｃ・・・はハンガー掛け孔、９ａ、９ｂは摺動溝、１０はビス、１１ａ、１１ｂは二枚のピース材からなるストッパーピース材、１７はビス１０の孔を埋めるキャップである。
【００４８】
而して、実施例５のストッパーピース材は、１１ａ、１１ｂの二枚に分かれたピース形状をしており、摺動溝９ａ、９ｂに摺動自在に嵌合する部分と該摺動溝９ａ、９ｂから持ち出した固定部からなる。そして予め図１３の如く竿掛けアーム４内に所定間隔位置に固定孔１６、１６、１６・・・を複数個穿設しておき、該位置にて、ストッパーピース材１１ａ、１１ｂにて竿掛けアーム４を挟持して固着する。
【００４９】
尚、本発明の実施例においては、説明を解りやすくするために、壁付け型物干し金物に限定して説明をおこなったが、本発明は所謂アーム支持体を介して、直に手摺に物干し金物を取り付けるタイプのものであれば、該取付手摺は金属製手摺でも同様であることは云うまでもなく、この場合には、アーム支持体は手摺支柱に直に取付られたり、竪格子に特殊金物を介して取り付けられる。
【産業上の利用可能性】
【００５０】
斯くして、本発明の物干し金物における竿掛けアーム収納位置調整装置は、一対の竿掛けアームを垂直方向に持ち上げてそのままそれぞれのアーム保持体に対して摺動させることにより竿掛けアームを下げ下ろし可能となし、該それぞれの竿掛けアームを垂直方向で収納固定する機能を有した物干し金物において、前記一対の竿掛けアームはそれぞれアーム保持体に対して摺動保持される凹部または凸部断面形状の摺動溝を有し、該摺動溝のストローク間の任意位置にビス等で固着可能なストッパーピース材を固着設置可能に構成し、該ストッパーピース材が前記アーム保持体に係合することによりそれぞれの竿掛けアームの下げ下ろし位置が調整されて固定可能であり、前記垂直方向で収納固定される竿掛けアームの下部に位置する前記物干し竿の挿通孔に物干し竿が装架されていても該物干し竿の高さ位置が竿掛けアームの収納によっても常に床面から足掛かり高さ寸法より高い位置に配置されるように簡単に調整が可能で、従来装置の如く、取付施工前に該施工現場の各物干し金物取付位置に足を運んで各取付位置毎に手摺高さを確認する等の非常に煩雑で煩わしい作業を省くことができその産業上の利用価値は頗る大きい。。
【図面の簡単な説明】
【００５１】
【図１】本発明の実施例を説明する斜視説明図である。
【図２】本発明の壁付き物干し金物と壁手摺との関係を説明する説明図である。
【図３】本発明の実施例１を説明する斜視説明図である。
【図４】本発明の実施例２を説明する斜視説明図である。
【図５】実施例２のストッパーピース材を説明する拡大斜視説明図である。
【図６】本発明の実施例３を説明する斜視説明図である。
【図７】実施例３のストッパーピース材を説明する拡大斜視説明図である。
【図８】図７の要部断面図である。
【図９】本発明の実施例４を説明する斜視説明図である。
【図１０】実施例４のストッパーピース材を説明する拡大斜視説明図である。
【図１１】図１０の要部断面図である。
【図１２】本発明の実施例５を説明する斜視説明図である。
【図１３】実施例５のストッパーピース材を説明する拡大斜視説明図である。
【図１４】図１３の要部断面図である。
【符号の説明】
【００５２】
１ａ、１ｂ  壁付き型物干し金物
２ａ、２ｂ  アンカーボルト（壁取付用金具）
３  手摺壁
４  竿掛けアーム
５  アーム保持体
６  物干し竿
７ａ、７ｂ、７ｃ・・・  物干し竿挿通孔
８ａ、８ｂ、８ｃ・・・  ハンガー掛け孔
９ａ、９ｂ  摺動溝
１０  ビス
１１  ストッパーピース材
１２  縁部
１３ａ、１３ｂ、１３ｃ・・・  位置決め表示溝
１４  クッション性樹脂からなるストッパーピース材１４  
１５  基部開口
１６  固定孔
１７  キャップ
Ａ：４５度の固定位置
Ｂ：矢印（竿掛けアームの動き）
Ｃ：竿掛けアームの収納位置
Ｈ：手摺高さ
ｈ：足掛かり高さ
Ｓ：ストローク間
【図１】
2007282952.tif 000003
【図２】
2007282952.tif 000004
【図３】
2007282952.tif 000005
【図４】
2007282952.tif 000006
【図５】
2007282952.tif 000007
【図６】
2007282952.tif 000008
【図７】
2007282952.tif 000009
【図８】
2007282952.tif 000010
【図９】
2007282952.tif 000011
【図１０】
2007282952.tif 000012
【図１１】
2007282952.tif 000013
【図１２】
2007282952.tif 000014
【図１３】
2007282952.tif 000015
【図１４】
2007282952.tif 000016